(57)【要約】  イントロデューサシース、前記イントロデューサシースを通過するように構成されたデリバリーカテーテル、デリバリープロファイルで前記デリバリーカテーテルに沿って解放可能に維持された管腔内デバイス、及び、前記管腔内デバイスによって取り外し可能に受け入れられたガイドワイヤチューブであって、患者の体内への前記ガイドワイヤチューブの挿入を防止するように構成された拡大特徴部を含むガイドワイヤチューブを含む、管腔内デリバリーシステム。
2021511907.tif 000002
【特許請求の範囲】
【請求項１】
近位端、遠位端、及び、前記近位端と前記遠位端との間に延在している管腔、及び、前記管腔へのアクセスを提供する近位端における近位開口部を有するイントロデューサシースと、
前記近位開口部を通過して前記イントロデューサシースの管腔に入るように構成されたデリバリーカテーテルと、
デリバリープロファイルで前記デリバリーカテーテルに沿って解放可能に維持された管腔内デバイスであって、前記管腔内デバイスが前記デリバリープロファイルに維持されている間に、前記管腔内デバイスが近位開口部を通ってイントロデューサシースの管腔に通されることができるように構成されており、前記管腔内デバイスは内腔、前記内腔へのアクセスを提供する第一の開口部及び前記内腔へのアクセスを提供する第二の開口部を有する、管腔内デバイスと、
前記管腔内デバイスがデリバリープロファイルにあるときにガイドワイヤチューブが前記管腔内デバイスから取り外し可能であるように、前記管腔内デバイスによって取り外し可能に受け入れられているガイドワイヤチューブであって、前記ガイドワイヤチューブは、前記管腔内デバイスの第一の開口部を通過し、前記管腔内デバイスの内腔に入り、そして前記管腔内デバイスの第二の開口部から出て、前記ガイドワイヤチューブは、第一の端部、第二の端部及び前記ガイドワイヤを受け入れるように構成された管腔を有し、前記ガイドワイヤチューブは前記イントロデューサシースの近位開口部を通って前記イントロデューサシースの管腔内へガイドワイヤチューブを挿入するのを選択的に防止するように構成された拡大特徴部を含む、ガイドワイヤチューブと、
を含む、管腔内デリバリーシステム。
【請求項２】
前記イントロデューサシースの管腔への近位開口部は止血弁によって画定されている、請求項１記載のシステム。
【請求項３】
前記ガイドワイヤチューブの管腔内に受け入れられるガイドワイヤをさらに含む、請求項１又は２記載のシステム。
【請求項４】
前記管腔内デバイスをデリバリー構成に解放可能に維持する拘束体をさらに含む、請求項１〜３のいずれか１項記載のシステム。
【請求項５】
前記拡大特徴部は、前記ガイドワイヤチューブの残りの部分と比較して拡大された外側プロファイルを画定するガイドワイヤチューブの部分を含む、請求項１〜４のいずれか１項記載のシステム。
【請求項６】
前記拡大特徴部は、ビーズ、リング、バーブ、ノブ及びキャッチの少なくとも１つを含む、請求項１〜５のいずれか１項記載のシステム。
【請求項７】
前記拡大特徴部は実質的に涙滴形状である、請求項１〜６のいずれか１項記載のシステム。
【請求項８】
前記拡大特徴部は前記ガイドワイヤチューブの近位部分に配置されている、請求項１〜７のいずれか１項記載のシステム。
【請求項９】
前記拡大特徴部は前記ガイドワイヤチューブの遠位部分に配置されている、請求項１〜８のいずれか１項記載のシステム。
【請求項１０】
前記拡大特徴部はガイドワイヤチューブの隣接部分の最大直径寸法よりも少なくとも１０％、２０％、３０％、４０％、５０％、６０％、１００％、２００％、３００％又はそれ以上大きい最大直径寸法を画定する、請求項１〜９のいずれか１項記載のシステム。
【請求項１１】
近位端、遠位端、及び前記近位端と前記遠位端との間に延在している管腔を有するイントロデューサシースと、
デリバリーカテーテルと、
前記デリバリーカテーテルの少なくとも一部に結合されている管腔内デバイス、
近位端、遠位端、前記近位端から前記遠位端まで延在して管腔を形成する壁、及び、前記壁における少なくとも１つの開口部を有する拘束体、及び、
第一の端部、第二の端部及び管腔を有するガイドワイヤチューブであって、前記ガイドワイヤチューブは前記少なくとも１つの開口部から拘束体の管腔を通って延在しており、前記ガイドワイヤチューブは、前記イントロデューサシースへの前記ガイドワイヤチューブの挿入を防止するように構成された、増大したプロファイルセクションを有する、ガイドワイヤチューブと、
を含む、管腔内デリバリーシステム。
【請求項１２】
患者の体内の所望の治療部位にガイドワイヤをデリバリーすることと、
前記ガイドワイヤがガイドワイヤチューブの管腔を通って延在するように、前記ガイドワイヤを、請求項１〜１１のいずれか１項記載の管腔内デリバリーシステムの前記ガイドワイヤチューブを通して挿入することと、
前記管腔内デリバリーシステムから前記ガイドワイヤチューブを除去すること、
前記管腔内デリバリーシステムを前記患者の体内に挿入することと、
前記管腔内デバイスを前記患者の体内の所望の治療部位にデリバリーすることと、
を含む、管腔内デリバリーシステムを使用する方法。
【発明の詳細な説明】
【技術分野】
【０００１】
分野
本開示は、一般に、管腔内デリバリーシステムに関する。より具体的には、本開示は、管腔内デリバリーシステム補助具に関し、さらにより具体的には、管腔内デリバリーシステムの取り外し可能なガイドワイヤチューブに関する。
【背景技術】
【０００２】
背景
ステントは、拡張可能な管腔内人工器官デバイスの例であり、体腔内の狭窄病変を維持、開放又は拡張するために、又は、動脈瘤又は切開を修復するために使用することができる。脈管疾患は、大動脈分岐、総腸骨動脈又は他のそのような領域などの導管の枝分かれ又は分岐部で発生する可能性がある。しかしながら、分岐部でのこれらの人工器官デバイスの配置及び展開は、しばしば問題となる可能性がある。
【０００３】
１つの技術は、最初に、動脈瘤を横切って、１つ以上の側壁開口部を有する本体人工器官デバイスを展開することである。１つ以上の側壁開口部は１つ以上の側枝口と位置合わせされうる。次に、１つ以上の追加の人工器官デバイスを、本体人工器官デバイスの側壁開口部を通って側枝血管に展開することができる。本体人工器官デバイスの正確な配置の制限（例えば、側壁の開口部の側枝血管への位置合わせを含む）を含む、このような技術を実践しているときに、処置上合併症に遭遇する可能性がある。
【０００４】
本体人工器官デバイスの展開に次いで、本体人工器官デバイスを通し、側壁開口部を通し、次いで側枝血管内に入る側枝ガイドワイヤの配置は問題となることがある。例えば、最初に側壁の開口部が適切に位置合わせされていないならば困難が発生する可能性があり、そして側壁開口部へのアクセス及び通過は困難な可能性があることが判る。さらに、側枝ガイドワイヤを維持するための複数のカテーテル又はその他の特徴を含むデリバリーシステムは、過度に複雑になる可能性があり、本体人工器官デバイスにおいて側壁開口部を通して側枝人工器官デバイスをデリバリーする前に本体デリバリーカテーテルの取り外しを妨害又は複雑化することがある。
【０００５】
本体デバイスの展開前に側壁開口部ガイドワイヤを配置する代替手順は、例えば、ガイドワイヤ及び／又は側壁開口部を側枝口と位置合わせするのを助けることができる。事前に装填された側枝開口部ガイドワイヤ（すなわち、本体人工器官デバイスを所望の治療部位に配置する前に側枝開口部に装填されたガイドワイヤ）を含む幾つかの方法及びシステムが提案され、それはガイドワイヤチューブを利用して、ガイドワイヤを事前に装填し又はさもなければガイドワイヤを側枝開口部に導くのを支援する。ハマーらに付与された「側枝管腔内プロテーゼ及びそのデリバリー方法」という発明の名称の米国特許第８，２６７，９８８号明細書は、そのような目的で使用される既知のガイドワイヤチューブ及び事前装填側枝ガイドワイヤの幾つかの例を提供する。
【０００６】
例えば、ハマーらは、本体人工器官デバイス及び本体人工器官デバイスの側部開口部を通過する又はカニューレ挿入する、１つ以上の側枝ガイドワイヤ管腔又はガイドワイヤチューブを有する本体人工器官デバイスを記載している。１つ以上のガイドワイヤは、ガイドワイヤを側枝ガイドワイヤ管腔に通すことにより、本体人工器官デバイス内に、そして側部開口部を通して配置されうる。幾つかの例において、側枝ガイドワイヤ管腔は、本体デバイスを体内の所望の治療部位へと前進させる前に除去される。デリバリーの１つの方法において、本体デバイスが前進すると、側部開口部は（例えば、側枝ガイドワイヤにより）自己誘導され、側枝血管口に自己整合する。そのような例において、次いで、本体デバイスを展開して、側枝ガイドワイヤを所定の位置に残すことができる。次に、１つ以上の側枝デバイスを、側枝ガイドワイヤに沿って、本体デバイスを通り、側壁開口部を通り、自然の側枝血管に進めることができる。
【発明の概要】
【０００７】
概要
様々な例は、イントロデューサシース、デリバリーカテーテル、第一のガイドワイヤ、管腔内デバイス（例えば、ステント、ステントグラフト、血管フィルタ、経カテーテル弁又は他の内部人工器官）、第二のガイドワイヤ及びガイドワイヤチューブを含む管腔内デリバリーシステムに関する。ガイドワイヤチューブは、拡大特徴部を含み、そして管腔内デバイスの一部によって取り外し可能に受け取られるように構成されている。
【０００８】
１つの例（「例１」）によれば、管腔内デリバリーシステムは、近位端、遠位端、前記近位端と前記遠位端との間に延在している管腔、及び、前記管腔へのアクセスを提供する近位端における近位開口部を有するイントロデューサシースを含む。管腔内デリバリーシステムはまた、近位開口部を通過してイントロデューサシースの管腔に入るように構成されたデリバリーカテーテルを含む。管腔内デリバリーシステムはまた、デリバリープロファイルでデリバリーカテーテルに沿って解放可能に維持された管腔内デバイスを含む。デリバリープロファイルは、管腔内デバイスがデリバリープロファイルに維持されている間に、管腔内デバイスが近位開口部を通ってイントロデューサシースの管腔に通されることができるように構成されている。管腔内デバイスは、内腔、前記内腔へのアクセスを提供する第一の開口部及び前記内腔へのアクセスを提供する第二の開口部を有する。管腔内デリバリーシステムはまた、管腔内デバイスがデリバリープロファイルにあるときにガイドワイヤチューブが管腔内デバイスから取り外し可能であるように、管腔内デバイスによって取り外し可能に受け入れられているガイドワイヤチューブを含む。ガイドワイヤチューブは、第一の開口部を通過し、管腔に入り、管腔内デバイスの第二の開口部から出る。ガイドワイヤチューブは、第一の端部、第二の端部及びガイドワイヤを受け入れるように構成された管腔を有する。ガイドワイヤチューブはまた、近位開口部を通ってイントロデューサシースの管腔内へガイドワイヤチューブを挿入するのを選択的に防止するように構成された拡大特徴部を含む。
【０００９】
例１に加えて、別の例（「例２」）によれば、前記イントロデューサシースの管腔への近位開口部は止血弁によって画定されている。
【００１０】
例１及び２のいずれかに加えて、別の例（「例３」）によれば、前記管腔内デリバリーシステムはまた、ガイドワイヤチューブの管腔内に受け入れられるガイドワイヤを含む。
【００１１】
例１〜３のいずれかに加えて、別の例（「例４」）によれば、前記管腔内デリバリーシステムはまた、管腔内デバイスをデリバリー構成に解放可能に維持する拘束体を含む。
【００１２】
例１〜４のいずれかに加えて、別の例（「例５」）によれば、前記拡大特徴部は、ガイドワイヤチューブの残りの部分と比較して拡大された外側プロファイルを画定するガイドワイヤチューブの部分を含む。
【００１３】
例１〜５のいずれかに加えて、別の例（「例６」）によれば、前記拡大特徴部は、ビーズ、リング、バーブ、ノブ及びキャッチの少なくとも１つを含む。
【００１４】
例１〜６のいずれかに加えて、別の例（「例７」）によれば、前記拡大特徴部は実質的に涙滴形状である。
【００１５】
例１〜７のいずれかに加えて、別の例（「例８」）によれば、前記拡大特徴部はガイドワイヤチューブの近位端に配置されている。
【００１６】
例１〜８のいずれかに加えて、別の例（「例９」）によれば、前記拡大特徴部はガイドワイヤチューブの遠位部分に配置されている。
【００１７】
例１〜９のいずれかに加えて、別の例（「例１０」）によれば、前記拡大特徴部はガイドワイヤチューブの隣接部分の最大直径寸法よりも少なくとも１０％、２０％、３０％、４０％、５０％、６０％、１００％、２００％、３００％又はそれ以上大きい最大直径寸法を画定する。
【００１８】
別の例（「例１１」）によれば、管腔内デリバリーシステムは、近位端、遠位端、及び前記近位端と前記遠位端との間に延在している管腔を有するイントロデューサシースを含む。管腔内デリバリーシステムはまた、デリバリーカテーテルを含む。管腔内デリバリーシステムはまた、近位端、遠位端、前記近位端から前記遠位端まで延在して管腔を形成する壁、及び、前記壁における少なくとも１つの開口部を有する拘束体を含む。管腔内デリバリーシステムはまた、第一の端部、第二の端部及び管腔を有するガイドワイヤチューブを含む。ガイドワイヤチューブは、少なくとも１つの開口部から拘束体の管腔を通って延在している。ガイドワイヤチューブは、イントロデューサシースへのガイドワイヤチューブの挿入を防止するように構成された、増大したプロファイルセクションを有する。
【００１９】
別の例（「例１２」）によれば、例１〜１０のいずれか１項記載の管腔内デリバリーシステムを使用する方法は、患者の体内の所望の治療部位にガイドワイヤをデリバリーすることを含む。この方法はまた、ガイドワイヤがガイドワイヤチューブの管腔を通って延在するように、ガイドワイヤをガイドワイヤチューブを通して挿入することを含む。この方法はまた、管腔内デリバリーシステムからガイドワイヤチューブを除去することを含む。この方法はまた、管腔内デリバリーシステムを患者の体内に挿入すること、及び、管腔内デバイスを患者の体内の所望の治療部位にデリバリーすることを含む。
【図面の簡単な説明】
【００２０】
図面の簡単な説明
添付の図面は、本開示のさらなる理解を提供するために含まれ、本明細書に組み込まれ、本明細書の一部を構成し、実施形態を例示し、記載とともに本開示の原理を説明するのに役立つ。
【００２１】
【図１】図１Ａ及び１Ｂは、幾つかの実施形態による、管腔内デリバリーシステムを示す。
【００２２】
【図２】図２は、幾つかの実施形態による、デリバリーカテーテルに沿って維持された管腔内デバイスを有するデリバリーカテーテル及びガイドワイヤチューブを示す。
【００２３】
【図３】図３は、幾つかの実施形態による、拡大特徴部を含むガイドワイヤチューブを示す。
【００２４】
【図４】図４ａ〜ｄは、幾つかの実施形態による、拡大特徴部を含むガイドワイヤチューブの追加の特徴を示す。
【００２５】
【図５】図５は、幾つかの実施形態による、デリバリーカテーテルであって、それを通るガイドワイヤチューブを有するデリバリーカテーテルの概略図である。
【００２６】
【図６】図６は、幾つかの実施形態による、デリバリーカテーテル及び拘束体に沿って維持された管腔内デバイスを有するデリバリーカテーテルの概略図である。
【００２７】
【図７】図７は、幾つかの実施形態による、管腔内デリバリーシステムを使用するための方法を示す。
【図８】図８は、幾つかの実施形態による、管腔内デリバリーシステムを使用するための方法を示す。
【図９】図９は、幾つかの実施形態による、管腔内デリバリーシステムを使用するための方法を示す。
【図１０】図１０は、幾つかの実施形態による、管腔内デリバリーシステムを使用するための方法を示す。
【図１１】図１１は、幾つかの実施形態による、管腔内デリバリーシステムを使用するための方法を示す。
【発明を実施するための形態】
【００２８】
詳細な説明
図１Ａは、幾つかの実施形態による、管腔内デリバリーシステム１０の概略図を示す。示されるように、管腔内デリバリーシステム１０は、イントロデューサシース２０、デリバリーカテーテル４０、第一のガイドワイヤ５０、管腔内デバイス６０、第二のガイドワイヤ７０及びガイドワイヤチューブ８０を含む。様々な例において、管腔内デバイス６０は、管腔内デバイス６０がイントロデューサシース２０を通過することを含む管腔内デリバリーのためのデリバリー構成におけるデリバリーカテーテル４０上に維持される。参考として、デリバリー構成は、直径方向に圧縮された又は単に圧縮されたプロファイルを指すことが意図され、一方、展開構成は、直径方向に拡大された又は単に拡大されたプロファイルを指すことが意図される。さらに詳細に記載されるように、ガイドワイヤチューブ８０は拡大特徴部１００を含み、管腔内デバイス６０の一部によって取り外し可能に受け入れるように構成されている（例えば、管腔内デバイス６０を患者の体内の所望の位置にデリバリーする前に）。参考のために、拡大特徴部１００は、場合により、ストップ、除去補助具、アイデンティファイア又はそれらの組み合わせとして構成される。
【００２９】
様々な例において、管腔内デリバリーシステム１０は、患者の体内の所望の治療位置において、ステント、グラフト、ステントグラフト、血管フィルタ、経カテーテル弁又は他の内部人工器官を含むことができる、管腔内デバイス６０の展開を容易にする。幾つかの例において、所望の治療位置は、大動脈弓枝（頭、腕及び手の動脈）、大動脈の下側枝（腹腔）、腎臓、腸間膜、腸骨、大腿骨及び/又は下肢（脚と足）などの血管分岐の領域であることができる。
【００３０】
図１Ａに示されるように、イントロデューサシース２０は、近位端２２、遠位端２４、及び近位端２２と遠位端２４との間に延在する管腔２６を有する。イントロデューサシース２０は、所望の治療位置に応じて内側直径及び長さを有することができる。例えば、内側直径（例えば、近位開口部２８における）は、約３ｍｍ〜約１０ｍｍであることができ、長さは、約１０ｍｍ〜約３０ｃｍ、約３０ｃｍ〜約７０ｃｍ、又は、代わりに、７０ｃｍを超えることができる。
【００３１】
幾つかの実施形態において、イントロデューサシース２０は、実質的にまっすぐであり、先細りしており、段付きであり、又はそれらの任意の組み合わせであることができる。例えば、イントロデューサシース２０は、管腔２６の長さに沿って（例えば、近位端２２から遠位端２４まで）実質的に一定である内側直径（例えば、近位開口部２８で画定される）を有することができる。別の例において、内側直径は、管腔２６の長さに沿って変化しうる。例えば、内側直径は、近位端２２でより小さく、遠位端２４でより大きな直径に増加することができ、又はその逆もありうる。
【００３２】
幾つかの実施形態において、近位端２２における近位開口部２８は、管腔２６へのアクセスを提供する。幾つかの実施形態において、デリバリーカテーテル４０を近位開口部２８を通してイントロデューサシース２０に挿入し、イントロデューサシース２０の遠位開口部３０を通って出ることができるように、遠位端２４に遠位開口部３０が存在することができる。
【００３３】
図１Ａに一般的に示されているように、イントロデューサシース２０は、イントロデューサシース２０の１つ以上の特徴部によって画定される近位部分２８ａを有し、次に、前記特徴部はイントロデューサシース２０の近位開口部２８を画定する。幾つかの例において、近位部分２８ａは（例えば、シース材料の）チューブ状突起部であることができ、近位開口部２８又はルアーフィッティングなどのイントロデューサシース２０の他の特徴部を画定する止血弁であることができる。近位部分２８ａは、破線によって図１Ａに全体的に示され、イントロデューサシースの設計に関連する様々な特徴部を含むことができるが、近位部分２８ａの止血弁を含むイントロデューサシース２０の１つの具体的な例はW.L. Gore & Associates Inc.から入手可能な“DrySeal Flex Introducer Sheath”の商品名で販売されるものである。例えば、図１Ｂは、近位開口部２８、ならびに、バルブ部分２００から延在しているシース部分２０２を含む、イントロデューサシース２０の近位部分２８ａを画定するバルブ部分２００を有するイントロデューサシース２０の例を提供する。図１Ａのより概略的な描写及び関連記載から、別の特徴（例えば、ルアーフィッティング）によって形成された近位部分２８ａを有しそして近位開口部２８を画定するイントロデューサシースも考えられることは明らかなはずである。
【００３４】
図２に見られるように、デリバリーカテーテル４０は、近位端４２、遠位端４４及び内腔４６を有する。上述のように、デリバリーカテーテル４０は、イントロデューサシース２０の近位開口部２８を通過して管腔２６に入るように構成されている。したがって、デリバリーカテーテル４０は、イントロデューサシース２０の管腔２６を通過することができるようなサイズとすべきである。例えば、デリバリーカテーテル４０は、イントロデューサシース２０を通過するように構成されるデリバリーカテーテル４０の部分において、約１ｍｍ〜２０ｍｍ、２ｍｍ〜１５ｍｍ又は２ｍｍ〜６ｍｍの範囲の直径を有することができる。幾つかの例が提供されているが、任意の様々な直径とする。
【００３５】
幾つかの実施形態において、デリバリーカテーテル４０は、近位端４２と、前記近位端４２と遠位端４４との間の長手方向に位置する点との間に延在している近位部分４７を有する。デリバリーカテーテル４０はまた、遠位端４４と、近位端４２と遠位端４４との間の長手方向に位置する点との間に延在している遠位部分４８を有することができる。近位部分４７及び遠位部分４８の両方は、デリバリーカテーテル４０について上に挙げたものと同様の直径を有することができる。
【００３６】
デリバリーカテーテル４０は、一般に、管腔内デバイスを所望の治療部位にデリバリーするのにふさわしい長さを有する。したがって、デリバリーカテーテル４０は、任意の様々な人工器官デバイスをデリバリーするのに適した長さを有することができる。近位部分４７及び遠位部分４８の両方を含むデリバリーカテーテル４０の長さは、所望の治療位置に応じて、約２０ｃｍ〜１００ｃｍ超まで変化することができる。
【００３７】
上述のイントロデューサシース２０と同様に、幾つかの実施形態において、デリバリーカテーテル４０は、実質的にまっすぐであり、先細りしており、段付きであり、又はそれらの任意の組み合わせであることができる。例えば、デリバリーカテーテル４０は、内腔４６の長さに沿って（例えば、近位端４２から遠位端４４まで）実質的に一定である直径を有することができる。別の例において、内側直径は、内腔４６の長さに沿って変化することができる。例えば、直径は、近位端４２でより小さく、遠位端４４でより大きな直径に増加することができ、その逆であることもできる。
【００３８】
デリバリーカテーテル４０は、ナイロン、ポリアクリルアミド、ポリカーボネート、ポリエチレン、ポリホルムアルデヒド、ポリメチルアクリレート、ポリプロピレン、ポリテトラフルオロエチレン、ポリトリフルオロクロロエチレン、ポリ塩化ビニル、ポリウレタン、エラストマー有機ケイ素ポリマー、Ｐｅｂａｘ（登録商標）ポリエーテルブロックアミド、及び、ステンレス鋼及びニチノールのような金属などの従来の医療グレードの材料を含むことができる。
【００３９】
幾つかの実施形態において、本明細書でインプラント可能デバイス又は単にデバイスとも呼ばれる、管腔内デバイス６０は、デリバリーカテーテル４０に、特に遠位部分４８によって取り付けられる。１つの実施形態において、デバイス６０は、デバイス６０がイントロデューサシース２０の管腔２６を通過し、所望の治療位置に移動できるようなデリバリー直径に維持される。
【００４０】
デバイス６０は、近位端６２、遠位端６４及び内腔６６を有する。デバイス６０はまた、複数の開口部６７を含むことができ（３つが図２に示されているが、あらゆる数を考えられる）、内腔６６へのアクセスを提供する。幾つかの例において、デバイス６０は、内腔６６へのアクセスを提供する第一の開口部６８ａ（例えば、端部開口部又は側部開口部）及び内腔６６へのアクセスを提供する第二の開口部６８ｂ（例えば、端部開口部又は側部開口部）、及び、内腔６６へのアクセスを提供する第三の開口部６８ｃ（例えば、端部開口部又は側部開口部）を含む。第一の開口部６８ａ、第二の開口部６８ｂ及び/又は第三の開口部６８ｃのいずれも、それを通るガイドワイヤチューブ８０に適合するようなサイズにされうる。
【００４１】
示されるように、第一の開口部６８ａは、近位端６２に位置する端部開口部である（図２）。しかしながら、第一の開口部６８ａは、デバイス６０の近位端６２と遠位端６４との間の任意の点に位置することができ、デバイス６０の近位端６２の近位、デバイス６０の遠位端６４の近位、又は、デバイス６０の近位端６２と遠位端６４との中間を挙げることができる。１つの例において、第二の開口部は、デバイス６０の遠位端６４の近位の点に位置する（図２）。しかしながら、第二の開口部６８ｂは、場合により、デバイス６０の近位端６２と遠位端６４との間の任意の点に位置し、デバイス６０の近位端６２の近位、デバイス６０の近位端６２と遠位端６４との中間、又は、デバイス６０の末端が挙げられる。幾つかの実施形態において、デバイス６０は、３つより多いか又は少ない開口部を有することができる。例えば、デバイス６０は、第一の開口部６８ａ、第二の開口部６８ｂ、及び、任意の数の後続の開口部を有することができる。任意の特定の実施形態における開口部の数は、所望の治療位置、内腔に望まれるアクセス開口部の数（例えば、所望の数の分岐デバイスを受け入れる）、又は、他の追加又は代わりの考慮事項を含む、様々な要因に依存しうる。
【００４２】
幾つかの実施形態において、デバイス６０は、ステント、グラフト、それらの組み合わせ、又は、完全に別のタイプの人工器官デバイスである。一般的に理解されているように、ステントは単独で又はグラフト材料と組み合わせて使用できる。ステントは、グラフトの外面又は内面に構成することができ、又は、グラフトの内壁構造に組み込むことができる。グラフトは様々な構成を有することができ、例えば、チューブ、又は、チューブ状の形状に形成されたシートもしくはフィルム、織られたもしくは編まれた繊維もしくはリボン又はそれらの組み合わせから製造することができる。グラフト材料は、ナイロン、ポリエステル、ポリエチレン、ポリプロピレン、ポリテトラフルオロエチレン、ポリウレタン及びエラストマー有機ケイ素ポリマーなどの従来の医療グレードの材料を含むことができる。
【００４３】
幾つかの実施形態において、ステント、グラフト又は他の人工器官デバイスは、自己拡張型又はバルーン拡張型のいずれかであることができる。典型的に、自己拡張型デバイスは、ニチノールなどの少なくとも１つの形状記憶材料を含むであろう。適切なステント材料としては、ニチノールに加えて、例えば、金属、ポリマー又は天然材料を挙げることができ、そしてナイロン、ポリアクリルアミド、ポリカーボネート、ポリエチレン、ポリホルムアルデヒド、ポリメチルメタクリレート、ポリプロピレン、ポリテトラフルオロエチレン、ポリトリフルオロクロロエチレン、ポリ塩化ビニル、ポリウレタン、エラストマー有機ケイ素ポリマー、ステンレス鋼、コバルトクロム合金及びニチノールなどの金属、及び、ウシの動脈/静脈、心膜及びコラーゲンなどの生物学的に誘導された材料などの従来の医療グレードの材料を含むことができる。ステントはまた、ポリ（アミノ酸）、ポリ（酸無水物）、ポリ（カプロラクトン）、ポリ（乳酸/グリコール酸）ポリマー、ポリ（ヒドロキシブチレート）及びポリ（オルトエステル）などの生体吸収性材料を含むこともできる。
【００４４】
幾つかの実施形態において、ガイドワイヤチューブ８０（図３）は、第一の端部８２、第二の端部８４及び管腔８６、近位部分８７及び遠位部分８８を有する。第一の端部８２及び第二の端部８４は、管腔８６へのアクセスを提供し、それを通してガイドワイヤを受け入れるために開放されていることができる。幾つかの実施形態において、第一の端部８２又は第二の端部８４のうちの一方のみが開いて、他方の反対側の端部は閉じて、ガイドワイヤによる管腔８６へのアクセスを可能にするが、ガイドワイヤが管腔８６を通して完全に通過することはできない。
【００４５】
上記で参照したように、ガイドワイヤチューブ８０は、一般に、それを通るガイドワイヤに適合するようにサイズ決めされ、形作られ、さもなければ構成される。幾つかの実施形態において、ガイドワイヤチューブ８０は、約０．１ｍｍ〜約２ｍｍ、０．２ｍｍ〜約１．５ｍｍもしくは０．３ｍｍ〜約１ｍｍの範囲又は前述の範囲のいずれかを含む任意の範囲の内側直径を有することができる。ガイドワイヤチューブは、約０．０５ｍｍ〜約１ｍｍ、０．０６ｍｍ〜約０．５ｍｍもしくは０．０８ｍｍ〜約０．３ｍｍの範囲又は前述の範囲のいずれかを含む任意の範囲の壁厚を有することができる。幾つかの実施形態において、壁厚は、ガイドワイヤチューブ８０の長さに沿って実質的に均一であることができる。例えば、壁厚は、第一の端部８２から第二の端部８４まで実質的に同じであることができる。他の実施形態において、壁厚さは第一の端部８２と第二の端部８４との間で変化するように、ガイドワイヤチューブ８０の長さに沿って不均一であることができる。
【００４６】
ガイドワイヤチューブ８０の長さは、所望の治療位置に応じて変化することができる。例えば、ガイドワイヤチューブ８０の長さは、特定の人工器官デバイスに合わせて調整されうる。幾つかの実施形態において、ガイドワイヤチューブ８０は、カテーテル全体の長さよりも有意に短くてもよく、デバイス６０よりもわずかに長くてもよい。例えば、ガイドワイヤチューブ８０は、約１ｃｍ〜約３０ｃｍ、２ｃｍ〜約２０ｃｍもしくは４ｃｍ〜約１５ｃｍの範囲又は前述の範囲のいずれかを含む任意の範囲の長さを有することができる。
【００４７】
ガイドワイヤチューブ８０は、デリバリーカテーテル４０について上述したものと同様の適切な医療グレードの材料を含むことができる。そのような材料の例としては、ナイロン、ポリアクリルアミド、ポリカーボネート、ポリエチレン、ポリホルムアルデヒド、ポリメチルメタクリレート、ポリプロピレン、ポリテトラフルオロエチレン、ポリトリフルオロクロロエチレン、ポリ塩化ビニル、ポリウレタン、ポリエーテルエーテルケトン（ＰＥＥＫ）、エラストマー有機ケイ素ポリマー、及び、ステンレス鋼及びニチノールのような金属などの従来の医療グレードの材料が挙げられる。幾つかの実施形態において、材料は、ガイドワイヤがガイドワイヤチューブ８０を通って前進するときに施術者がガイドワイヤを視覚化できるように、十分に半透明であることができる。
【００４８】
幾つかの実施形態において、ガイドワイヤチューブ８０と同様の１つ以上の追加のガイドワイヤチューブを使用することができる。追加のガイドワイヤチューブ（図示せず）は、例えば、複数の側壁開口部を有する内部人工器官を使用して患者の体内の分岐領域（又は複数の分岐口を有する領域）を治療するときに役立つことができる。
【００４９】
幾つかの実施形態において、ガイドワイヤチューブ８０は拡大特徴部１００（図３）を含む。除去補助具、アイデンティファイア又はそれらの任意の組み合わせとも呼ばれる拡大特徴部１００はデバイス６０及び／又はデリバリーカテーテル４０のインデューサーシース２０への挿入前にガイドワイヤチューブ８０を除去するための施術者への視覚的注意喚起手段として機能することができる。拡大特徴部１００はまた、ガイドワイヤチューブ８０を引っ張り、摺動させ又はさもなければ除去するときに施術者が把持するための拡大プロファイルを提供することによって、ガイドワイヤチューブ８０の除去を補助することができる。なおも別の実施形態において、拡大特徴部１００は、ガイドワイヤチューブ８０がデバイス６０及び／又はデリバリーカテーテル４０から一方向に取り外されるのを防ぎ、反対方向に取り外せるようにすることができる。幾つかの例において、拡大特徴部１００は、ガイドワイヤチューブ８０の直径方向に拡大した部分である。例えば、拡大特徴部は、場合により、ガイドワイヤチューブ８０の隣接部分の直径よりも少なくとも１０％、２０％、３０％、４０％、５０％、６０％、１００％、２００％、３００％、又は前述の反囲のいずれかを含む任意の範囲だけ大きい最大直径寸法を画定する。幾つかの例が提供されてきたが、任意の望ましい寸法の任意の拡大プロファイル部分が考えられる。
【００５０】
幾つかの実施形態において、拡大特徴部１００は、ガイドワイヤチューブ８０の第一の端部８２に位置する（図３）。しかしながら、拡大特徴部１００は、場合により、ガイドワイヤチューブ８０の第二の端部８４に、近位部分８７に沿って、遠位部分８８に沿って、又は第一の端部８２と第二の端部８４との間のガイドワイヤチューブ８０に沿った任意の他の点に沿って配置されうる。
【００５１】
図４ａ〜ｄは、ガイドワイヤチューブ８０及び拡大特徴部１００の例示的な代替構成を示す。示されるように、拡大特徴部１００は、ビーズ、リング、クリンプ、バルジ、バーブ、ノブ、フット、キャッチ、又は、拡大された外側プロファイルを提供する任意の他の特徴部のいずれかであることができ、それにより、ガイドワイヤチューブ８０の除去前にイントロデューサシース２０へのデバイス６０及び／又はデリバリーカテーテル４０の挿入を防ぐことができる。例えば、１つの実施形態において、拡大特徴部１００は、ガイドワイヤチューブ８０の直径よりも大きい直径を有する。他の実施形態において、拡大特徴部１００は、ガイドワイヤチューブ８０とは異なる形状、色又は輪郭を有することができる。例えば、拡大特徴部１００は、実質的に円形、涙滴型、Ｌ型、フック型、又はガイドワイヤチューブ８０のイントロデューサシース２０への挿入を防止するその他の任意の形状であることができる。
【００５２】
幾つかの例において、複数のガイドワイヤチューブは（例えば、単一のデリバリーシステム、外科用キット又は他の構成の一部として）提供され、ここで、複数のガイドワイヤチューブのそれぞれは、拡大特徴部１００などの拡大特徴部を含む。そのような例において、異なる拡大特徴部構成（例えば、異なるサイズ、形状、色又は他の差別化要因）を使用して、複数のガイドワイヤ、ガイドワイヤチューブ又は様々な他の特徴部を区別することができる。
【００５３】
幾つかの実施形態において、拡大特徴部１００は、ガイドワイヤチューブ８０と同じ材料を含む。しかしながら、拡大特徴部１００は、ガイドワイヤチューブ８０とは異なる材料を含むこともできる。例えば、拡大特徴部１００は紫外線（ＵＶ）硬化性接着剤及びシーラント、熱硬化性プラスチック、熱可塑性樹脂、順応性ポリマー、バンプ押出などの押出、金属フェルール及び様々なオーバーモールド部品を含むことができる。
【００５４】
拡大特徴部１００の表面は、所望の使用及び／又は施術者の選好を含む様々な要因に応じて変化しうる。幾つかの実施形態において、拡大特徴部１００は実質的に滑らかである。しかしながら、他の例において、表面は、へこみ、線、くぼみ、クロスハッチ又は他のそのようなテクスチャ又はテクスチャの組み合わせを含むことができる。
【００５５】
図２を参照すると、デバイス６０は、デリバリーカテーテル４０の遠位部分４８でデリバリーカテーテル４０に結合される。幾つかの例において、ガイドワイヤチューブ８０は、デバイス６０の第一の開口部６８ａを通して取り外し可能に受け入れられる。しかしながら、ガイドワイヤチューブ８０はまた、第二の開口部６８ｂ、第三の開口部６８ｃ又はデバイス６０の他の任意の追加の開口部によって受け入れることができる。幾つかの実施形態において、ガイドワイヤチューブ８０は１つの開口部を通して入り、別の開口部を通して出ていくことができる。
【００５６】
所望の手順の完了に必要な任意の追加のガイドワイヤチューブは、例えば、第一の開口部６８ａから第二の開口部６８ｂ、第三の開口部６８ｃ又はデバイス６０内の他の追加の開口部まで延在することができる。
【００５７】
別の任意選択的構成において（図５）、ガイドワイヤチューブ８０は、デリバリーカテーテル４０の１つ以上の部分によって取り外し可能に受け入れられることができる。例えば、ガイドワイヤチューブ８０は、デリバリーカテーテル４０の近位端４２又は遠位端４４を通って入ることができる。幾つかの実施形態において、ガイドワイヤチューブ８０は、近位端４２又は遠位端４４を通って入り、デリバリーカテーテル４０の第一の開口部４９を通って出ていくことができる。しかしながら、ガイドワイヤチューブ８０は、デリバリーカテーテル４０における任意の組み合わせの開口部を通して出入りすることができることが考えられる。上述と同様に、所望の処置の完了に必要な任意の数の追加のガイドワイヤチューブは考えられる。
【００５８】
図５において、拡大特徴部１００は、ガイドワイヤチューブ８０の第一の端部８２に示されている。しかしながら、上述のように、拡大特徴部１００は、第一の端部８２、第二の端部８４、又は第一の端部８２と第二の端部８４との間の他の任意の点に位置することができる。
【００５９】
幾つかの実施形態において、拡大特徴部１００は、ガイドワイヤチューブ８０に接着剤で取り付けられる。拡大特徴部１００は、除去力（すなわち、引張、摺動など）に耐えるのに十分に取り付けられなければならない。例えば、拡大特徴部１００は、デバイス６０からのガイドワイヤチューブ８０の取り外しの間に変形せず、元の位置から移動せず又はガイドワイヤチューブ８０から分離しないように、ガイドワイヤチューブ８０に適切に接着／取り付け／接続されるべきである。したがって、様々な実施形態において、拡大特徴部１００は、少なくとも約１ｌｂｆ、少なくとも約４ｌｂｆ、少なくとも約７ｌｂｆ又は少なくとも約１０ｌｂｆの取り付け力を有することができる。他の実施形態において、取り付け力は、約１〜１２ｌｂｆ、約６〜１２ｌｂｆ及び／又は約８〜１２ｌｂｆ又は前述の範囲のいずれかを含む任意の範囲である。
【００６０】
図６において、デバイス６０は、デリバリーカテーテル４０の遠位部分４８において圧縮状態で（例えば、デリバリープロファイルで）示されている。１つの実施形態において、デバイス６０は、拘束体１２０によって圧縮状態に維持される。
【００６１】
拘束体１２０は、近位端１２４、遠位端１２６及び管腔１２９を含む。幾つかの実施形態において、拘束体１２０は、本明細書においてデリバリー直径とも呼ばれる適切なデリバリープロファイルにデバイス６０を圧縮することができるスリーブ、シース又はカバーである。例えば、デバイス６０は、約３ｍｍ〜１３ｍｍ又は最大約１１０ｍｍの範囲又は前述の範囲のいずれかを含む任意の範囲、又は、所望される他の値のデリバリー直径に圧縮されることができる。
【００６２】
拘束体１２０は、デバイス６０の全体又は一部の上に配置されうる。幾つかの実施形態において、拘束体１２０は、拘束体１２０に沿って概して長手方向のシームを形成することができる、展開コード１２２によって一緒にヒモ締めされる。
【００６３】
幾つかの実施形態において、拘束体１２０は、長手方向のシームに垂直に向けられた第一の開口部１２９を含む。第一の開口部１２９は、ガイドワイヤチューブ８０がデリバリーカテーテル４０及び拘束体１２０を出るための出口点を提供することができる。しかしながら、他の実施形態において、拘束体１２０は第一の開口部１２９を含まなくてもよい。例えば、ガイドワイヤチューブ８０は長手方向のシームのステッチラインを通して出てくることができる。シース材料の拘束、シースの製造方法及び本体圧縮技術に関する詳細は、例えば、レオポルドらへの米国特許第６，３５２，５６１号明細書及びソーントンらへの米国特許第６，５５１，３５０号明細書に見出すことができる。
【００６４】
図７〜１１は、管腔内デリバリーシステム１０を使用する方法を示す。図７に示されるように、第一のガイドワイヤ５０は、イントロデューサシース２０（図示せず）を通過し、本体管腔１５０内に配置され、第二のガイドワイヤ７０は、分岐管腔１５２内に配置される。次いで、第一のガイドワイヤ５０をデリバリーカテーテル４０の遠位端４４を通して近位方向に、そして内腔４６中に通す。第二のガイドワイヤ７０は、取り外し可能なガイドワイヤチューブ８０に通される。典型的なガイドワイヤの直径は、例えば、０．０８９ｃｍ（０．０３５インチ）及び０．３６ｃｍ（０．０１４インチ）を含む。しかしながら、特定の処置、所望の治療位置及び／又は施術者の選好に応じて、他のサイズのガイドワイヤを使用できることを理解されたい。
【００６５】
図８は、デリバリーカテーテル４０及びガイドワイヤチューブ８０にそれぞれ通された第一のガイドワイヤ５０及び第二のガイドワイヤ７０を示す。図８において、ガイドワイヤチューブ８０の第一の端部８２及び第二の端部８４の両方は、第二のガイドワイヤ７０が両端から延在するように開いている。しかしながら、他の実施形態において、ガイドワイヤチューブ８０の第一の端部８２は、第二のガイドワイヤ７０が第一の端部８２から外に延在しないように第二のガイドワイヤ７０の停止点を提供するように閉じられてもよい。
【００６６】
第二のガイドワイヤ７０がガイドワイヤチューブ８０内に配置されると、ガイドワイヤチューブ８０は、図９において矢印によって示される方向に近位方向にデバイス６０から除去されることができる。別の構成において、ガイドワイヤチューブ８０は、矢印の反対方向に遠位方向に除去されることができる。上述のように、拡大特徴部１００は、施術者が把持するための拡大された部分又は握りを提供することにより、ガイドワイヤチューブ８０の除去を補助することができる。拡大特徴部１００はまた、患者の体内へのデリバリーカテーテル４０及びデバイス６０の挿入の前に、ガイドワイヤチューブ８０を除去することの施術者への視覚的注意喚起手段を提供することができる。さらに、拡大特徴部１００は、一方向のみ（すなわち、図９の矢印によって示される方向の近位方向又は図９の矢印の反対方向の遠位方向のいずれか）での除去を容易にすることができる。
【００６７】
ガイドワイヤチューブ８０が除去されると、デバイス６０が遠位部分４８に維持されたデリバリーカテーテル４０は、第二の開口部６８ｂが分岐管腔１５２と位置合わせされるまで、第一のガイドワイヤ５０に沿って所望の治療位置まで前進される。図１０は主管腔１５０内でのデバイス６０の展開を示す。示されるように、第二の開口部６８ｂは、分枝管腔１５２と位置合わせされ、第二のガイドワイヤ７０は、第二の開口部６８ｂ及び分枝管腔１５２を通して延在されたままである。
【００６８】
主管腔１５０内にデバイス６０を展開した後に、分岐デバイス１６０（図１１）を、第二のガイドワイヤ７０に沿って分枝管腔１５２まで前進させることができる。幾つかの実施形態において、分岐デバイス１６０はステント、グラフト、又はデバイス６０と同様の他の人工器官デバイスとすることができる。分岐デバイス１６０は、デリバリープロファイルで圧縮されることができ、上述されるように、デバイス６０と同様の拘束体を含むことができる。さらに、分岐デバイス１６０は、分岐展開コード１６２（図１０）を含むことができ、分岐デバイス１６０が分枝管腔１５２内の所望の位置になると、解放することができる。幾つかの実施形態において、分岐デバイス１６０は自己拡張型又はバルーン拡張型であることができる。幾つかの例（例えば、自己拡張型分岐デバイスの例）において、図１１に示されるように、分岐展開コード１６２を引張ると、分岐デバイス１６０が拡張して分枝管腔１５２に適合する。
【００６９】
上述のように、管腔内デリバリーシステム１０は、所望の用途のための任意の数の開口部、ガイドワイヤチューブ、ガイドワイヤ及び／又は分岐デバイスを含むことができる。これは、例えば、所望の治療位置、必要とされる分岐デバイスの数及び／又は治療される動脈瘤のサイズ又は数に依存しうる。後続の分岐デバイスの展開は、上記と同様に実現されうる。
【００７０】
当業者は、本開示の様々な態様が、意図された機能を発揮するように構成された任意の数の方法及び装置によって実現されうることを容易に理解するであろう。本明細書で参照される添付の図面は必ずしも縮尺どおりに描かれているわけではなく、本開示の様々な態様を示すために誇張されている場合があり、その点で、図面は限定として解釈されるべきではないことにも留意されたい。
【００７１】
この出願の発明は、一般的にも特定の実施形態に関しても上述されてきた。本開示の範囲から逸脱することなく、実施形態において様々な修正及び変更を行うことができることが当業者には明らかであろう。したがって、実施形態は、添付の特許請求の範囲及びそれらの均等の範囲内に入るかぎり、本発明の修正及び変形を網羅することが意図されている。
【図１Ａ】
2021511907.tif 000003
【図１Ｂ】
2021511907.tif 000004
【図２】
2021511907.tif 000005
【図３】
2021511907.tif 000006
【図４Ａ】
2021511907.tif 000007
【図４Ｂ】
2021511907.tif 000008
【図４Ｃ】
2021511907.tif 000009
【図４Ｄ】
2021511907.tif 000010
【図５】
2021511907.tif 000011
【図６】
2021511907.tif 000012
【図７】
2021511907.tif 000013
【図８】
2021511907.tif 000014
【図９】
2021511907.tif 000015
【図１０】
2021511907.tif 000016
【図１１】
2021511907.tif 000017
【国際調査報告】
2021511907.tif 000018
2021511907.tif 000019
2021511907.tif 000020
2021511907.tif 000021